(57)【特許請求の範囲】
【請求項１】
天井裏に挿入して取り付けられ、下面に室内側に臨む開口を有する箱状のフレームと、前記フレーム内に配設され、下面に吸込口を有し側面に吐出口を有したスクロール状のケーシングと、前記ケーシング内に配設される遠心送風羽根と、前記遠心送風羽根を回転駆動する電動機とを備え、前記ケーシングは下面に前記遠心送風羽根の外径より大きい径の開口を備え、この開口に前記吸込口を形成したオリフィスを設け、前記オリフィスは、前記フレーム下面の開口から前記フレーム内の前記ケーシング下方の空間で工具を使用することなく着脱自在に設けられ、前記オリフィスの外周部に係止片を設け、前記ケーシングの前記係止片に対応する位置に前記係止片に係合する係合部を設け、前記オリフィスを上方に押し付けて前記係止片を前記係合部に押し込み、前記オリフィスを前記ケーシングに取り付け、前記係止片を前記オリフィスの前記外周部のほぼ対向する位置の二箇所に設けたものであって、前記二箇所の前記係止片のうち一方の係止片を弾性変形する係止片とし、弾性変形する係止片の近傍で対向する位置に指掛け部を設け、前記弾性変形する係止片と前記指掛け部とを指で挟んでつまむ構成としたことを特徴とする天井埋込形換気扇。
【請求項２】
オリフィスの重心位置を、弾性変形する係止片側に偏らせて形成した請求項１に記載の天井埋込形換気扇。
【請求項３】
オリフィス下面の指掛け部近傍に、前記指掛け部と係止片とをつまんでオリフィスを外す旨の表示を設けた請求項１に記載の天井埋込形換気扇。
【請求項４】
オリフィスとケーシングを異なる色とした請求項１〜３のいずれかに記載の天井埋込形換気扇。
【請求項５】
ケーシングを暗い色、オリフィスを前記ケーシングよりも明るい色で形成した請求項４に記載の天井埋込形換気扇。
【請求項６】
天井裏に挿入して取り付けられ、下面に室内側に臨む開口を有する箱状のフレームと、前記フレーム内に配設され、下面に吸込口を有し側面に吐出口を有したスクロール状のケーシングと、前記ケーシング内に配設される遠心送風羽根と、前記遠心送風羽根を回転駆動する電動機とを備え、前記ケーシングは下面に前記遠心送風羽根の外径より大きい径の開口を備え、この開口に前記吸込口を形成したオリフィスを設け、前記オリフィスは、前記フレーム下面の開口から前記フレーム内の前記ケーシング下方の空間で工具を使用することなく着脱自在に設けられるものであって、前記オリフィスの外周部裏面と前記ケーシング下面の開口縁とに、互いに重合して接合する接合部を設けるとともに、前記オリフィス外周部から前記吸込口を囲むように下方に突出する突出部を設け、前記突出部の外方に、この突出部との間に空洞を形成する外周壁を設けたことを特徴とする天井埋込形換気扇。
【請求項７】
オリフィスの外周部裏面に第１の段差部を設け、ケーシング下面の開口縁に前記第１の段差部に重合して接合する第２の段差部を設けた請求項６に記載の天井埋込形換気扇。
【請求項８】
突出部と外周壁とから形成される空洞の下端部に穴を設けた請求項６に記載の天井埋込形換気扇。
【請求項９】
空洞は上方から穴に向かって傾斜するように形成された請求項８記載の天井埋込形換気扇。
【請求項１０】
外周壁の一部に位置決め形状を備え、ケーシングの下面の一部に、オリフィスの外周面及び前記位置決め形状及び前記外周壁のいずれかに当接する位置決めリブを設けた請求項６に記載の天井埋込形換気扇。
【請求項１１】
ケーシングの下面にオリフィスの外周面及び位置決め形状及び外周壁にほぼ内接するガイドリブを設けた請求項６または１０に記載の天井埋込形換気扇。
【請求項１２】
ガイドリブは係止片周辺の高さを弾性変形する係止片周辺の高さより低く形成した請求項６、１０、１１のいずれかに記載の天井埋込形換気扇。
【請求項１３】
係止片の形状は外周壁の外方へ突出するリブ形状の係止片とし、オリフィスをケーシングの下面に押し付けた状態のとき、前記リブ形状の係止片に対応する係合部の近傍に、前記リブ形状の係止片に当接しながら前記リブ形状の係止片を前記係合部の正規の位置に案内する勾配を備えた溝部を設けた請求項６に記載の天井埋込形換気扇。
【請求項１４】
ケーシング下面の開口に、前記ケーシング内部方向に突出する円筒上のリブを設けた請求項６に記載の天井埋込形換気扇。
【発明の詳細な説明】
【技術分野】
【０００１】
本発明は、天井裏に設置された屋外と連通するダクトと接続し、天井に設けられた開口に埋め込まれて設置される天井埋込形換気扇に関する。
【背景技術】
【０００２】
従来、この種の天井埋込形換気扇の一例として図１０に示されるものが知られている（例えば、特許文献１参照）。
【０００３】
以下、その構成について図１０を参照しながら説明する。
【０００４】
図１０に示すように、下面にグリル１０１で覆われる吸込口１０２を有し、側面に吐出口１０３を設けた箱状のフレーム１０４と、屋外と連通するダクト１０５を接続するアダプター１０６と、フレーム１０４の内部には下面に吸込口であるオリフィス１０７を有したスクロール状のケーシング１０８と、ケーシング１０８内に配設され送風を行う遠心送風羽根１０９と、遠心送風羽根１０９を回転駆動する電動機１１０を備え構成していた。
【特許文献１】特開２００３−６５５８１号公報
【発明の開示】
【発明が解決しようとする課題】
【０００５】
このような従来の天井埋込形換気扇では、長時間の使用により室内の埃が遠心送風羽根１０９に付着して所要の換気性能を発揮できないような場合に、遠心送風羽根１０９を掃除しようとしてもオリフィス１０７が邪魔になり掃除の妨げとなっているという課題があった。
【０００６】
また、オリフィスを取り外して、羽根の着脱を行う換気扇として、例えば特開２００４−１６９９６７号公報に記載されたパイプ用換気扇が知られているが、このパイプ用換気扇は図１１に示すように、フレーム１１１に設けた羽根１１２の着脱用の開口１１３の周辺部に係合孔１１４を設け、開口１１３に回動して取り付けられるオリフィス１１５の裏面に係合孔１１４に係合する着脱手段１１６を備えて構成しているが、フレーム１１１が天井埋込形換気扇のように天井面の高い位置に取り付けられた場合は、係合孔１１４と着脱手段１１６の位置を合わせて、オリフィス１１５をフレーム１１１に押し当てて挿入し、さらに回動して確実に固定するという操作は困難であり、さらに羽根１１２を天井埋込形換気扇などで用いる高静圧の遠心送風羽根にした場合、オリフィス１１５とフレーム１１１の隙間や係合孔１１４から風漏れが発生して、風量の低下や騒音が発生するという課題があった。
【０００７】
本発明は、このような従来の課題を解決するものであり、天井裏という高い位置に取り付けられたフレームの内部の狭く暗い空間内で、遠心送風羽根を着脱するための開口を、ケーシングに工具を使用せずに開閉することができて掃除性が向上し、しかも、高静圧の遠心送風羽根を備え、開口を開閉できるようにしても、風漏れなどを防止して、性能を維持することができる天井埋込形換気扇を提供することを目的とする。
【課題を解決するための手段】
【０００８】
本発明の天井埋込形換気扇は、上記目的を達成するために、天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記遠心送風羽根を回転駆動する電動機とを備え、前記ケーシングは下面に前記遠心送風羽根の外径より大きい径の開口を備え、この開口に吸込口を形成したオリフィスを設け、前記オリフィスは、前記フレーム下面の開口から前記フレーム内の前記ケーシング下方の空間で工具を使用することなく着脱自在に設けられるものである。
【０００９】
また、他の手段は、オリフィスの外周部に係止片を設け、ケーシングの前記係止片に対応する位置に前記係止片に係合する係合部を設け、前記オリフィスを上方に押し付けて前記係止片を前記係合部に押し込み、前記オリフィスを前記ケーシングに取り付けるものである。
【００１０】
また、他の手段は、係止片をオリフィスの外周部のほぼ対向する位置の二箇所に設けたものである。
【００１１】
また、他の手段は、二箇所の係止片のうち一方の係止片を弾性変形する係止片とし、弾性変形する係止片の近傍で対向する位置に指掛け部を設け、前記係止片と前記指掛け部とを指で挟んでつまむ構成としたものである。
【００１２】
また、他の手段は、オリフィスの重心位置を、弾性変形する係止片側に偏らせて形成したものである。
【００１３】
また、他の手段は、オリフィス下面の指掛け部近傍に、前記指掛け部と係止片とをつまんでオリフィスを外す旨の表示を設けたものである。
【００１４】
また、他の手段は、オリフィスとケーシングを異なる色としたものである。
【００１５】
また、他の手段は、ケーシングを暗い色、オリフィスを前記ケーシングよりも明るい色で形成したものである。
【００１６】
また、他の手段は、オリフィスの外周部裏面とケーシング下面の開口縁とに、互いに重合して接合する接合部を設けるとともに、前記オリフィス外周部から吸込口を囲むように下方に突出する突出部を設け、前記突出部の外方に、この突出部との間に空洞を形成する外周壁を設けたものである。
【００１７】
また、他の手段は、オリフィスの外周部裏面に第１の段差部を設け、ケーシング下面の開口縁に前記第１の段差部に重合して接合する第２の段差部を設けたものである。
【００１８】
また、他の手段は、突出部と外周壁とから形成される空洞の下端部に穴を設けたものである。
【００１９】
また、他の手段は、空洞は上方から穴に向かって傾斜するように形成されたものである。
【００２０】
また、他の手段は、外周壁の一部に位置決め形状を備え、ケーシングの下面の一部に、オリフィスの外周面及び前記位置決め形状及び前記外周壁のいずれかに当接する位置決めリブを設けたものである。
【００２１】
また、他の手段は、ケーシングの下面にオリフィスの外周面及び位置決め形状及び外周壁にほぼ内接するガイドリブを設けたものである。
【００２２】
また、他の手段は、ガイドリブは係止片周辺の高さを弾性変形する係止片周辺の高さより低く形成したものである。
【００２３】
また、他の手段は、係止片の形状は外周壁の外方へ突出するリブ形状の係止片とし、オリフィスをケーシングの下面に押し付けた状態のとき、前記リブ形状の係止片に対応する係合部の近傍に、前記リブ形状の係止片に当接しながら前記リブ形状の係止片を前記係合部の正規の位置に案内する勾配を備えた溝部を設けたものである。
【００２４】
また、他の手段は、ケーシング下面の開口に、前記ケーシング内部方向に突出する円筒上のリブを設けたものである。
【発明の効果】
【００２５】
本発明によれば、ケーシング下面に遠心送風羽根の外径より大きい径の開口を備え、この開口に吸込口を形成したオリフィスを設け、このオリフィスはフレーム下面の開口からフレーム内のケーシング下方の空間で工具を使用することなく着脱自在に設けられることにより、オリフィスを外して形成される開口から遠心送風羽根を取り出すことができるので、遠心送風羽根を外して掃除をすることができ、掃除性が向上した効果のある天井埋込形換気扇を提供することができる。
【００２６】
また、オリフィスの外周部に係止片を設け、ケーシングの前記係止片に対応する位置に係止片に係合する係合部を設け、オリフィスを上方に押し付けて係止片を係合部に係合させ、オリフィスをケーシングに取り付けることにより、ケーシングから遠心送風羽根を取り出すための開口に対するオリフィスの着脱操作を工具を使用せずに一方向の操作でワンタッチで行うことができ、掃除性および分解性が向上した天井埋込形換気扇を提供することができる。
【００２７】
また、係止片をオリフィスの外周部のほぼ対向する位置の二箇所に設けたことにより、係止片の一方の係合が不完全な状態でオリフィスがケーシングに取り付けることができなくなり、オリフィスの確実な取付固定が可能となる。
【００２８】
また、二箇所の係止片のうち一方の係止片を弾性変形する係止片とし、弾性変形する係止片の近傍で対向する位置に指掛け部を設け、前記弾性変形する係止片と前記指掛け部とを指で挟んでつまむ構成としたことにより、片手により、簡単な操作で容易にオリフィスの取り外しが可能となる。
【００２９】
また、オリフィスの重心位置を、弾性変形する係止片側に偏らせて形成したことにより、オリフィスを安定して保持することができる。
【００３０】
また、オリフィス下面の指掛け部近傍に、指掛け部と弾性変形する係止片とをつまんでオリフィスを外す旨の表示を設けたことにより、取扱説明書を確認することなくオリフィス取り外しの操作を理解することができる。
【００３１】
また、オリフィスとケーシングを異なる色としたことにより、オリフィスとケーシングが分離可能な部品であることが一目で容易に判別できるようになる。
【００３２】
また、ケーシングを暗い色、オリフィスを前記ケーシングよりも明るい色で形成したことにより、オリフィスとケーシングが分離可能な部品であることが一目でさらに容易に判別できるようになる。
【００３３】
また、オリフィスの外周部裏面とケーシング下面の開口縁とに、互いに重合して接合する接合部を設けるとともに、前記オリフィス外周部から吸込口を囲むように下方に突出する突出部を設け、突出部の外方に、この突出部との間に空洞を形成する外周壁を設けたことにより、遠心送風羽根を取り外し掃除できるようにするために、オリフィスをケーシングに着脱自在としても、その取付部の隙間から発生する風漏れを低減できるので、送風性能を維持することができ、さらに、微量な風漏れにより発生する騒音も、空洞部で遮音することができ、騒音の発生を防止することができる。
【００３４】
また、オリフィスの外周部裏面に第１の段差部を設け、ケーシング下面の開口縁に前記第１の段差部に重合して接合する第２の段差部を設けたことにより、オリフィスのケーシングへの着脱構造による隙間から発生する風漏れをさらに低減できるので、送風性能の維持が可能となる。
【００３５】
また、突出部と外周壁とから形成される空洞の下端部に穴を設けたことにより、共鳴消音により、送風騒音を低騒音化できる。
【００３６】
また、空洞は上方から穴に向かって傾斜するように形成されたことにより、空洞内部の水滴が穴から流れ落ち、空洞内部に湿気がこもることを防止することで、カビの発生および雑菌の繁殖を抑制することができる。
【００３７】
また、外周壁の一部に位置決め形状を備え、ケーシングの下面の一部に、オリフィスの外周面及び前記位置決め形状及び前記外周壁のいずれかに当接する位置決めリブを設けたことにより、オリフィスが誤った方向に不完全な状態で取り付けられるのを防止できる。
【００３８】
また、ケーシングの下面にオリフィスの外周面及び位置決め形状及び外周壁にほぼ内接するガイドリブを設けたことにより、オリフィスの正規取り付け方向を容易に確認でき、オリフィス取り付けの操作性が向上する。
【００３９】
また、ガイドリブは係止片周辺の高さを弾性変形する係止片周辺の高さより低く形成したことにより、係止片及び弾性変形する係止片のいずれかと係合部との係合が不完全な状態でオリフィスがケーシングに保持されることがなくなり、さらにオリフィスの確実な取付固定が可能となる。
【００４０】
また、係止片の形状は外周壁の外方へ突出するリブ形状の係止片とし、オリフィスをケーシングの下面に押し付けた状態のとき、前記リブ形状の係止片に対応する係合部の近傍に、前記リブ形状の係止片に当接しながら前記リブ形状の係止片を前記係合部の正規の位置に案内する勾配を備えた溝部を設けたことにより、オリフィス取り付け時に前記オリフィスの位置を正規の位置に自動的に案内することができ、オリフィス取付けの操作性が向上する。
【００４１】
また、ケーシング下面の開口に、ケーシング内部方向に突出する円筒上のリブを設けたことにより、ケーシング内に付着した水滴が開口部より室内側に滴下することを防止することができる。
【発明を実施するための最良の形態】
【００４２】
本発明の天井埋込形換気扇は、ケーシング下面に遠心送風羽根の外径より大きい径の開口を備え、この開口に吸込口を形成したオリフィスを設け、オリフィスは、フレーム下面の開口からフレーム内のケーシング下方の空間で工具を使用することなく着脱自在に設けられたものであり、天井裏という高い位置に設けられ、暗く狭いフレームの空間内で、オリフィスをケーシングに工具を使用せずに取り付け、取り外しをすることができ、ケーシング下面に遠心送風羽根を着脱可能な開口を容易に形成できるという作用を有する。
【００４３】
また、オリフィスの外周部に係止片を設け、ケーシングの前記係止片に対応する位置に係止片に係合する係合部を設け、オリフィスを上方に押し付けて係止片を係合部に係合させることにより、オリフィスをケーシングに取り付ける構造としたものであり、オリフィスをケーシングに対し工具を使用せずに一方向に押し込む操作で取り付けができ、また工具を使用せずに外すことができ、ケーシング下面に遠心送風羽根を着脱可能な開口を容易に形成することとなる。
【００４４】
また、係止片をオリフィスの外周部のほぼ対向する位置の二箇所に設けたとしたものであり、係止片の一方の係合が不完全な状態でオリフィスがケーシングに取り付けることができず落下するため、オリフィスをケーシングに不完全に取り付けられないこととなる。
【００４５】
また、二箇所の係止片のうち一方の係止片を弾性変形する係止片とし、弾性変形する係止片の近傍で対向する位置に指掛け部を設け、弾性変形する係止片と指掛け部とを指で挟んでつまむ構成としたとしたものであり、片方の手の指で弾性変形する係止片と指掛け部をつまむ操作によって、弾性変形する係止片と係合部との係合が解除されることとなる。
【００４６】
また、オリフィスの重心位置を、弾性変形する係止片側に偏らせて形成したものであり、片方の手の指で弾性変形する係止片と指掛け部とをつまむ操作をしてオリフィスを外す際、オリフィスの重心が偏っている位置を指で支えることとなる。
【００４７】
また、オリフィス下面の指掛け部近傍に、指掛け部と係止片とをつまんでオリフィスを外す旨の表示を設けたとしたものであり、オリフィスの取り外し方が取扱説明書などを確認することなく、オリフィスを目で見て確認できることとなる。
【００４８】
また、オリフィスとケーシングを異なる色としたとしたものであり、ケーシングと一体になったオリフィスを取り外す際、ケーシングとオリフィスが別部品であることが一目で分かるようになる。
【００４９】
また、ケーシングを暗い色、オリフィスをケーシングよりも明るい色で形成したとしたものであり、ケーシングと一体になったオリフィスを取り外す際、暗い色で形成されるケーシングに対して、明るい色で形成されるオリフィスが収縮色と膨張色による錯覚により、オリフィスが目立つこととなる。
【００５０】
また、オリフィスの外周部裏面とケーシング下面の開口縁とに、互いに重合して接合する接合部を設けるとともに、オリフィス外周部から吸込口を囲むように下方に突出する突出部を設け、この突出部の外方に、突出部との間に空洞を形成する外周壁を設けたものであり、接合部における重合接合により、遠心送風羽根の送風で発生する圧力によって隙間から風漏れが発生するのを低減させるとともに、発生した微量な風漏れの音も、空洞によりフレームの開口から直接伝播するのを低減させることとなる。
【００５１】
また、オリフィスの外周部裏面に第１の段差部を設け、ケーシング下面の開口縁に前記第１の段差部に重合して接合する第２の段差部を設けたものであり、第１の段差部と第２の段差部により三面の重合接合が形成されることとなり、遠心送風羽根の回動で発生する圧力によって隙間から風漏れが発生するのをさらに低減させることとなる。
【００５２】
また、突出部と外周壁とから形成される空洞の下端部に穴を設けたものであり、遠心送風羽根の送風により発生し、オリフィス吸込み口から放射される騒音を、穴と空洞によって共鳴消音されることとなる。
【００５３】
また、空洞は上方から穴に向かって傾斜するように形成されたとしたものであり、空洞内部で結露などにより発生した水滴が傾斜によって穴に導かれ、空洞の外へ排出されるという作用を有する。
【００５４】
また、外周壁の一部に位置決め形状を備え、ケーシングの下面の一部に、オリフィスの外周面及び位置決め形状及び外周壁のいずれかに当接する位置決めリブを設けたとしたものであり、オリフィスの取付時、その向きが正規方向でないと、位置決めリブとオリフィスの外周面及び位置決め形状及び外周壁のいずれかの形状が干渉して、ケーシングに取り付けができないという作用を有する。
【００５５】
また、ケーシングの下面にオリフィスの外周面及び位置決め形状及び外周壁にほぼ内接するガイドリブを設けたものであり、ケーシングにオリフィスを取り付ける時、オリフィスの向きを、ケーシングのガイドリブに合わせて正規方向となるように、目で確認して合わせることができることとなるという作用を有する。
【００５６】
また、ガイドリブは係止片周辺の高さを弾性変形する係止片周辺の高さより低く形成したものであり、二箇所の係止片が係合孔に正しく固定されていない状態で、オリフィスの外周面及び外周壁及び凸部の対向する箇所同士がガイドリブ内周面に接触しないこととなるという作用を有する。
【００５７】
また、係止片の形状は外周壁の外方へ突出するリブ形状の係止片とし、オリフィスをケーシングの下面に押し付けた状態のとき、リブ形状の係止片に対応する係合部の近傍に、リブ形状の係止片に当接しながらリブ形状の係止片を係合部の正規の位置に案内する勾配を備えた溝部を設けたものであり、溝部に当接したリブ形状の係止片が溝部の勾配に沿って係合部の正規の位置に案内されることとなる。
【００５８】
また、ケーシング下面の開口に、ケーシング内部方向に突出する円筒上のリブを設けたとしたものであり、ケーシング底面で結露などにより発生した水滴が、円筒状のリブによりせき止められることとなる。
【００５９】
以下、本発明の実施の形態について、図１から図９を参照しながら説明する。
【００６０】
（実施の形態１）
本発明の実施の形態１を、図１および図２を参照しながら説明する。
【００６１】
図に示すように、天井裏に取り付けられ、側面に屋外と連通するダクト１と接続するアダプター２と下面に室内側に臨む吸込口を有した箱状のフレーム３と、フレーム３の内部には、下面に吸込口を有し側面にアダプター２と連通する吐出口を有したスクロール状のケーシング４と、ケーシング４の内部に配設され、室内の空気をダクト１を介して屋外へ排出するための送風を行う遠心送風羽根５と、遠心送風羽根５を回転駆動する電動機６とを備え、ケーシング４は下面に遠心送風羽根５の外径よりも大きい径の開口７を備え、この開口７の下面に遠心送風羽根５の外径よりも小さい径の吸込口８を形成したオリフィス９を設け、オリフィス９の外周部の４箇所に係止片１０を設け、ケーシング４の係止片１０に対応する位置に係止片１０に係合する係合部１１を設け、オリフィス９を上方に押し付けて係止片１０を係合部１１に押し込み、オリフィス９をケーシング４に取り付ける構成とする。
【００６２】
上記構成において、長時間の運転により遠心送風羽根５に付着した室内の埃を掃除するときには、オリフィス９を手で下方に引き下げれば、係止片１０と係合部１１の係合が解除され、天井裏という高い位置に設けられ、暗く狭いフレーム３の空間内で、オリフィス９をケーシング４から工具を使用せずに取り外しでき、オリフィス９を取り外すことによってケーシング４の下面に遠心送風羽根５を取り出すことが可能な開口７を形成できる。
【００６３】
また、オリフィス９をケーシング４に取り付けるときには、係止片１０と係合部１１の位置を合わせて、オリフィス９をケーシング４の下面の開口７に対して上方に押し込む操作で複数の係止片１０と係合部１１が係合して、容易に取付けることができる。
【００６４】
このように本発明の実施の形態１の天井埋込形換気扇によれば、工具を使用せずにオリフィス９を取り外して形成される開口７から遠心送風羽根５を取り外して掃除することができ、開口７に対するオリフィス９の着脱操作を工具を使用せずに一方向の操作でワンタッチで行うことができ、分解性、組立性に優れ、掃除性が向上した天井埋込形換気扇を提供することができることとなる。
【００６５】
なお、本実施の形態１では、係止片１０と係合部１１を設ける箇所を４箇所としたが、これに限定されるものではなく、複数箇所であればよいことは言うまでもない。
【００６６】
（実施の形態２）
本発明の実施の形態２において、上記実施の形態１に対し同一の構成要素は同一の符号を附し、詳細な説明は省略する。
【００６７】
図３および図４に示すように、オリフィス９Ａの外周部のほぼ対向する位置の二箇所に係止片１０を設け、ケーシング４Ａの係止片１０に対応する位置に係止片１０に係合する係合部１１を設けている。
【００６８】
また、オリフィス９Ａとケーシング４Ａは異なる色としている。
【００６９】
さらに、オリフィス９Ａの外周部裏面とケーシング４Ａの下面の開口７縁に互いに重合して接合する接合部１２を設けるとともに、オリフィス９Ａの外周部から吸込口８を囲むように下方に突出する突出部１３を設け、突出部１３の外方に、この突出部１３との間に空洞１４を形成する外周壁１５を設け、外周壁１５に位置決め形状となる凸部１６を備え、ケーシング４Ａの下面に凸部１６に当接する位置決めリブ１７を設けている。
【００７０】
上記構成において、ケーシング４Ａにオリフィス９Ａを取り付ける時には、ケーシング４Ａの外周部のほぼ対向する位置の二箇所に設けた係止片１０と、その係止片１０に対応する係合部１１は、二箇所の係止片１０のどちらか一方の係合が不完全な状態では、オリフィス９Ａがケーシング４Ａに取り付けることができずに落下することとなり、二箇所の係止片１０と係合部１１が完全に係合されることにより、オリフィス９Ａとケーシング４Ａが取付固定される。
【００７１】
また、オリフィス９Ａの向きが正規方向でないと、オリフィス９Ａをケーシング４Ａに押し込む操作をしたときに、ケーシング４Ａの下面に設けた位置決めリブ１７とオリフィス９Ａの凸部１６とが干渉して、オリフィス９Ａがケーシング４Ａに取付固定できないこととなる。
【００７２】
また、ケーシング４Ａと一体になったオリフィス９Ａは、ケーシング４Ａと異なる色で形成されているので、分離可能な部品であることが一目で容易に判別できることとなる。
【００７３】
また、オリフィス９Ａの外周部裏面とケーシング４Ａ下面の開口７縁の接合部１２における重合接合により、高静圧の遠心送風羽根５の回動により発生する静圧によってオリフィス９Ａとケーシング４Ａの隙間から風漏れが発生するのを低減させるとともに、発生した微量な風漏れの音も、オリフィス９Ａの突出部１３と外周壁１５により形成される空洞１４内に放出されるので、フレーム３の吸込口から室内側へ直接放出されることを防ぐこととなる。
【００７４】
このように本発明の実施の形態２の天井埋込形換気扇によれば、オリフィス９Ａのケーシング４Ａへの不完全な状態での取付固定がなくなり、確実な取付固定が可能となり、また、ケーシング４Ａと一体になったオリフィス９Ａが分離可能な部品であることが一目で容易に判別でき、さらにオリフィス９Ａがケーシング４Ａに誤った方向で不完全な状態で取り付けられるのを防止することができる。
【００７５】
そして、オリフィス９Ａをケーシング４Ａから着脱自在としても、その接合部１２により隙間から発生する風漏れを低減できるので、送風性能を維持することができ、さらに、微量な風漏れにより発生する騒音も、空洞１４で遮音することができ、騒音の発生を防止することができるので、性能低下がなく、分解性、組立性に優れ、掃除性が向上した天井埋込形換気扇を提供することができることとなる。
【００７６】
さらに、接合部１２に柔らかい弾性材料や発泡材料などで形成されるシール構造を設ける構成とすれば、さらなる風漏れ防止の効果を得ることができる。
【００７７】
なお、位置決め形状は凸部１６に限定されるものではなく、凹形状や平坦形状など、外周壁１５と連続しない形状で、オリフィス９Ａとケーシング４Ａを取り付ける正規方向を一方向に決める形状であれば、その作用効果に差異はない。
【００７８】
また、本実施の形態２では、ケーシング４Ａの位置決めリブ１７に当接するのを外周壁１５に設けた凸部１６としたが、外周壁１５、オリフィス９Ａの外周面のいずれかに当接するようにしてもよい。
【００７９】
（実施の形態３）
本発明の実施の形態３において、上記実施の形態１および２に対し、同一の構成要素は同一符号を附し、詳細な説明は省略する。
【００８０】
図５から図９に示すように、ケーシング４Ｂは暗い色で形成し、オリフィス９Ｂはケーシング４Ｂより明るい色で形成し、二箇所の係止片１０のうち一方を弾性変形する係止片１０Ａとし、他方を外周壁１５の外方へ突出するリブ形状の係止片１０Ｂとし、係止片１０Ａの近傍で対向する位置に指掛け部１８を備え、オリフィス９Ｂ下面の指掛け部１８の近傍に、係止片１０Ａと指掛け部１８とをつまんでオリフィス９Ｂを外す旨の表示として刻印１９を設け、オリフィス９Ｂの重心位置を係止片１０Ａの方向に偏らせて形成した構成とする。
【００８１】
また、オリフィス９Ｂの外周部裏面に第１の段差部２０を設け、ケーシング４下面の開口７縁に第１の段差部２０に重合して接合する第２の段差部２１を設け、突出部１３と外周壁１５とから形成される空洞１４の下端部にスリット状の穴２２を設け、空洞１４は上方から穴２２に向かって傾斜するように形成され、ケーシング４Ｂ下面にオリフィス９Ｂの外周面及び外周壁１５及び凸部１６にほぼ内接する枠状のガイドリブ２３を設け、ガイドリブ２３の高さをオリフィス９Ｂの係止片１０Ｂ周辺を係止片１０Ａ周辺より低く形成し、その低く形成したガイドリブ２３の高さは、オリフィス９Ｂの外周壁１５と重なり合わない高さとし、オリフィス９Ｂをケーシング４Ｂの下面に押し付けたときに、係止片１０Ｂに対応する係合部１１Ｂの近傍で、係止片１０Ｂに当接しながら係合部１１Ｂへ誘い込む勾配を設けた溝部２４を備え、ケーシング４Ｂ下面の開口７縁に、ケーシング４Ｂの内方へ突出する筒状のリブ２５を備えた構成とする。
【００８２】
上記構成において、ケーシング４Ｂからオリフィス９Ｂを取り外すときには、暗い色で形成されるケーシング４Ｂに対して、明るい色で形成されるオリフィス９Ｂが収縮色と膨張色による錯覚により、オリフィス９Ｂが目立つこととなり、係止片１０Ａと指掛け部１８の近傍に設けた刻印１９の表示に従って、片方の手の指で係止片１０Ａと指掛け部１８とをつまむ操作によって、係合部１１Ａとの係合状態が外れることとなり、オリフィス９Ｂとケーシング４Ｂの固定が解除され、オリフィス９Ｂの重心位置付近を指で支えることとなる。
【００８３】
また、天井埋込形換気扇運転時には、第１の段差部２０と第２の段差部２１により三面の重合接合が形成されることとなり、高静圧の遠心送風羽根５の回動により発生する静圧によってオリフィス９Ｂとケーシング４Ｂの隙間から風漏れが発生するのをさらに低減させ、微量な風漏れにより発生する騒音は、オリフィス９Ｂの突出部１３と外周壁１５により形成される空洞１４内に放出されるので、フレーム３の吸込口から室内側へ直接放出されることを防ぐこととなり、遠心送風羽根５の回動による送風により発生して、オリフィス９Ｂの吸込口８から放射される騒音を、オリフィス９Ｂの突出部１３と外周壁１５とから形成される空洞１４と、空洞１４の下端部に設けた穴２２により共鳴消音されることとなる。
【００８４】
また、空洞１４の内部で結露などにより発生した水滴は、空洞１４の傾斜によって穴２２の方に流れていき、空洞１４の外へ排出することとなる。
【００８５】
また、オリフィス９Ｂを取り付けるときには、ガイドリブ２３とオリフィス９Ｂの外周面及び外周壁１５及び凸部１６の形状を合わせることとなり、オリフィス９Ｂの正規方向が目で確認して分かることとなり、二箇所の係止片１０Ａ，Ｂの一方が係合部１１Ａ，Ｂに正しく係合していない状態では、オリフィス９Ｂの外周面及び外周壁１５及び凸部１６の対向する箇所同士がガイドリブ２３内周面に接触しないこととなり、オリフィス９Ｂをケーシング４Ｂの下面に押し付けたときに、係止片１０Ｂが溝部２４に当接しながら、勾配に沿って係止片１０Ｂおよびオリフィス９Ｂが係合部１１Ｂ及びガイドリブ２３に正規の位置に誘い込まれることとなり、係止片１０Ａが弾性変形しながら係合部１１Ａに押し込まれ、係止片１０Ａが係合部１１Ａに係合すると同時にクリック音を生じさせる。
【００８６】
さらに、ケーシング４Ｂの内部で結露などにより発生した水滴は、筒状のリブ２５によりせき止められることとなる。
【００８７】
このように、本発明の本発明の実施の形態３の天井埋込形換気扇によれば、オリフィス９Ｂとケーシング４Ｂが分離可能な部品であることがさらに一目で容易に判別することができ、取扱説明書などを確認することなくオリフィス９Ｂをケーシング４Ｂから取り外す手順を理解することができ、係止片１０Ａと指掛け部１８とを片手の指でつまむ操作により、ワンタッチでオリフィス９Ｂを取り外すことができ、オリフィス９Ｂの重心の近傍を指でつまむこととなるのでオリフィス９Ｂの保持しやすくなり、分解性、操作性がさらに優れ、掃除性がさらに向上した天井埋込形換気扇を提供することができることとなる。
【００８８】
また、オリフィス９Ｂをケーシング４Ｂから着脱自在としても、三面の重合接合により接合部１２Ａの隙間から発生する風漏れをさらに低減できるので、送風性能を維持することができ、微量な風漏れにより発生する騒音は空洞１４へ放出され遮音することができ、吸込口８から放射される送風騒音は空洞１４と穴２２により共鳴消音され、さらに低騒音化することができるので、性能低下が少なく、さらに低騒音、高性能で、分解性、組立性に優れ、掃除性が向上した天井埋込形換気扇を提供することができることとなる。
【００８９】
また、結露などにより空洞１４内に発生した水滴による空洞１４内の湿気のこもりを防止することができ、空洞１４内部および周辺部でのカビの発生及び雑菌の繁殖を抑制することができる。
【００９０】
また、オリフィス９Ｂが誤った方向に取付けられることや、不完全な状態で取り付けられることが防止でき、オリフィス９Ｂの正規取り付け方向を容易に確認することができ、オリフィス９Ｂ取り付け時の位置のずれを補正することができ、クリック音によりオリフィス９Ｂがケーシング４Ｂに固定されたことを耳で確認することができ、一方、ケーシング４Ｂ内部で結露などにより発生した水滴が開口７部より室内側に滴下することを防止できるので、組立性、操作性、安全性がさらに向上した天井埋込形換気扇を提供することができる。
【産業上の利用可能性】
【００９１】
本発明は、遠心送風羽根の掃除を行うときの部品の分解性、組立性、操作性が良く、またケーシング吸込口周辺からの風漏れが少なく、吸込口から放射される騒音を低減することができ、遠心送風羽根の掃除を要する換気装置や遠心送風機、空気調和機に有用である。
【図面の簡単な説明】
【００９２】
【図１】本発明の実施の形態１の天井埋込形換気扇を示す断面図
【図２】同天井埋込形換気扇のオリフィス、遠心送風羽根の着脱状態を示す斜視図
【図３】本発明の実施の形態２の天井埋込形換気扇を示す断面図
【図４】同天井埋込形換気扇のオリフィス、遠心送風羽根の着脱状態を示す斜視図
【図５】本発明の実施の形態３の天井埋込形換気扇を示す断面図
【図６】図５のＡ部詳細図
【図７】同天井埋込形換気扇のオリフィス、遠心送風羽根の着脱状態を示す側断面図
【図８】同天井埋込形換気扇のガイドリブの高さを示す断面図
【図９】同天井埋込形換気扇のオリフィス取り付け時の溝部の作用を示す断面図
【図１０】従来の天井埋込形換気扇を示す断面図
【図１１】従来のパイプ用換気扇を示す斜視図
【符号の説明】
【００９３】
３      フレーム
４      ケーシング
４Ａ    ケーシング
４Ｂ    ケーシング
５      遠心送風羽根
６      電動機
７      開口
８      吸込口
９      オリフィス
９Ａ    オリフィス
９Ｂ    オリフィス
１０    係止片
１０Ａ  係止片
１０Ｂ  係止片
１１    係合部
１１Ａ  係合部
１１Ｂ  係合部
１２    接合部
１２Ａ  接合部
１３    突出部
１４    空洞
１５    外周壁
１６    凸部
１７    位置決めリブ
１８    指掛け部
１９    刻印
２０    第１の段差部
２１    第２の段差部
２２    穴
２３    ガイドリブ
２４    溝部
２５    筒状のリブ
【図１】
0005130929.tif 000002
【図２】
0005130929.tif 000003
【図３】
0005130929.tif 000004
【図４】
0005130929.tif 000005
【図５】
0005130929.tif 000006
【図６】
0005130929.tif 000007
【図７】
0005130929.tif 000008
【図８】
0005130929.tif 000009
【図９】
0005130929.tif 000010
【図１０】
0005130929.tif 000011
【図１１】
0005130929.tif 000012